(57)【要約】【課題】静電記録体に画像情報を静電潜像として記録し、記録された静電潜像を読み取る画像情報記録読取方法および装置において、光起電力ノイズ、暗潜像ノイズおよび高圧印加履歴ノイズの低減と安定化を図る。【解決手段】第１電極層１１の電極と第２電極層１５の電極との間に所定の大きさおよび所定の極性の電圧を所定の時間だけ印加する空電圧印加と、第１電極層１１の電極と第２電極層１５の電極とを同電位にした状態で光導電層１４に消去光を照射する空読みとを行う予備処理を、画像情報記録の少なくとも１分前以内に行うようにする。【選択図】図２
2008139075.tif 000002
【特許請求の範囲】
【請求項１】
第１電極層と画像情報を担持する記録用の電磁波の照射を受けることにより導電性を呈する光導電層と第２電極層とをこの順に有すると共に前記電磁波のエネルギ量に応じた量の電荷を潜像電荷として蓄積する蓄電部が前記第１電極層と前記第２電極層との間に形成されて成り、前記第１電極層の電極と前記第２電極層の電極との間に記録用電圧を印加した状態で前記光導電層に前記記録用の電磁波が照射されることにより前記蓄電部に画像情報が静電潜像として記録され、且つ前記第１電極層と前記第２電極層とを同電位にした状態で前記潜像電荷の量に応じた画像情報が読み取られる静電記録体を用いて画像情報の記録と読取りを行なう画像情報記録読取方法において、
前記第１電極層の電極と前記第２電極層の電極との間に所定の大きさおよび所定の極性の電圧を所定の時間だけ印加する空電圧印加と、前記第１電極層の電極と前記第２電極層の電極とを同電位にした状態で前記光導電層に消去光を照射する空読みとを行う予備処理を、画像情報記録の１分前以内に行うことを特徴とする画像情報記録読取方法。
【請求項２】
前記予備処理を、画像情報記録の１０秒前以内に行うことを特徴とする請求項１記載の画像情報記録読取方法。
【請求項３】
第１電極層と画像情報を担持する記録用の電磁波の照射を受けることにより導電性を呈する光導電層と第２電極層とをこの順に有すると共に前記電磁波のエネルギ量に応じた量の電荷を潜像電荷として蓄積する蓄電部が前記第１電極層と前記第２電極層との間に形成されて成り、前記第１電極層の電極と前記第２電極層の電極との間に記録用電圧を印加した状態で前記光導電層に前記記録用の電磁波が照射されることにより前記蓄電部に画像情報が静電潜像として記録され、且つ前記第１電極層と前記第２電極層とを同電位にした状態で前記潜像電荷の量に応じた画像情報が読み取られる静電記録体を使用して画像情報の記録と読取りを行なう画像情報記録読取装置において、
前記第１電極層の電極と前記第２電極層の電極との間に所定の電圧を印加する電圧印加手段と、
前記光導電層に消去光を照射する消去光照射手段と、
前記第１電極層の電極と前記第２電極層の電極との間に所定の大きさおよび所定の極性の電圧を所定の時間だけ印加する空電圧印加と、前記第１電極層の電極と前記第２電極層の電極とを同電位にした状態で前記光導電層に消去光を照射する空読みとを行う予備処理を、画像情報記録の１分前以内に行なわさせるように前記電圧印加手段と前記消去光照射手段とを制御する制御手段とを備えたことを特徴とする画像情報記録読取装置。
【請求項４】
前記制御手段が、前記予備処理を画像情報記録の１０秒前以内に行わせるものであることを特徴とする請求項３記載の画像情報記録読取装置。
【請求項５】
前記静電記録体に対して前記記録用の電磁波を照射する電磁波照射手段と、
ユーザーからの前記電磁波照射手段に対する電磁波照射要求を受け付けるスイッチとを備えるとともに、
前記制御手段が、前記スイッチが前記電磁波照射要求を受け付けてから所定時間以内に前記予備処理を行わせた後、前記記録用の電磁波を照射させるように前記電磁波照射手段を制御するものであることを特徴とする請求項３または４記載の画像情報記録読取装置。
【発明の詳細な説明】
【技術分野】
【０００１】
本発明は、静電記録体に画像情報を静電潜像として記録し、記録された静電潜像を読み取る画像情報記録読取方法および装置に関するものである。
【背景技術】
【０００２】
従来より、医療用Ｘ線撮影などにおいて、被験者の受ける被爆線量の減少、診断性能の向上などのために、Ｘ線に感応する例えばａ−Ｓｅ（アモルファスセレン）から成るセレン板などの光導電体を静電記録体（感光体、放射線固体検出器）として用い、この静電記録体に放射線画像情報を担持するＸ線などの記録用の放射線を照射して、放射線画像情報を担持する潜像電荷を静電記録体の蓄電部に蓄積させ、その後レーザビームなどの読取光（読取用の電磁波）で静電記録体を走査することにより該静電記録体内に生じる電流を該静電記録体両側の平板電極あるいはクシ電極を介して検出することにより、潜像電荷が担持する静電潜像、すなわち放射線画像情報を読み取るシステムが知られている。
【０００３】
このような静電記録体の具体的な層構成としては、例えば特許文献１に記載の、第１導電体層（記録光側電極層；以下同様）／記録用光導電層／蓄電部としてのトラップ層／読取用光導電層／第２導電体層（読取光側電極層；以下同様）からなるものがある。
【０００４】
また、本願出願人は、記録用の放射線に対して透過性を有する第１導電体層、記録用の放射線の照射を受けることにより光導電性を呈する記録用光導電層、第１導電体層に帯電される電荷と同極性の電荷に対しては略絶縁体として作用し、かつ、該同極性の電荷と逆極性の電荷に対しては略導電体として作用する電荷輸送層、読取光（読取用の電磁波）の照射を受けることにより光導電性を呈する読取用光導電層、読取光に対して透過性を有する第２導電体層を、この順に積層して成り、記録用光導電層と電荷輸送層との界面に蓄電部が形成されるものを提案している（特許文献２）。
【０００５】
このような静電記録体では、読取光に対して透過性を有する第２導電体層とａ−Ｓｅなどからなる光導電層との界面に障壁電界が形成され、記録用の放射線の線量が０ｍＲ領域であっても、読取光の照射によって電流が流れ、いわゆる光起電力ノイズという問題を生じる。
【０００６】
また、使用を続けると、この光起電力ノイズは、局所的に場所依存性が発生するようになり、その結果アーチファクトとなるという問題が生じる。
【０００７】
また、静電記録体の光導電層には、ａ−Ｓｅなどの高抵抗なアモルファス物質（トラップを有する）が一般に使われるが、静電記録体の両端電極間に電圧（一般には高圧）を印加してから短絡までの間には、電極から光導電層への直接電荷注入が生じ、注入された電荷が光導電層内部あるいは光導電層と電極との界面に空間電荷としてトラップされつつ、一方で空間電荷としてはトラップされずに漏れ電流として光導電層内に暗電流が流れ、この暗電流が暗潜像として蓄電部に蓄積され、読取りに際して再生画像に所謂暗潜像ノイズとなって現れるという問題がある。この暗電流は、電圧印加当初は大きく、時間と共に減少し、その後一定の漏れ電流値に近づいていくという性質がみられる。即ち、電圧印加直後の暗電流レベルは、安定化した状態（安定した漏れ電流状態）の暗電流レベルよりも大きい。この現象は、印加電圧が高いほど顕著であり、漏れ電流レベルに安定化するまで、例えば１０分以上要する場合もある。さらに、一旦安定化したとしても、両電極を短絡してしばらくの間電圧印加を休止すると、その後に再度電圧を印加した直後には暗電流レベルが元の大きさに戻る傾向を示す。したがって、電圧印加直後の大レベルの暗電流による暗潜像は読取りに際しては大きなノイズ源となる。さらに、この暗潜像の量は、電圧を印加してから記録用の放射線を照射するまでの時間や使用履歴と共に変化するため、暗潜像ノイズが再生画像に現れないように、画像データを補正することも困難である。
【０００８】
さらに、電極と光導電層との界面には、前記の通り、記録用電圧の印加によって形成された空間電荷による電界が形成されるが、さらに読出しに先立って短絡される結果、電圧印加（一般には高圧印加）と短絡の履歴を受けた新たな電界が形成され、この新たな電界下において光（読取光）が照射されるために高圧印加履歴ノイズが発生するという問題がある。そしてこの高圧印加履歴ノイズも時間や使用履歴と共に変化するため前記暗潜像ノイズと同様に補正が困難である。
【０００９】
また、使用を続けると、この高圧印加履歴ノイズは、光起電力ノイズと同様に、局所的に場所依存性が発生するようになり、その結果アーチファクトとなるという問題が生じる。
【００１０】
そのため、本願出願人は、特許文献３において、第１電極層の電極と第２電極層の電極とを同電位にした状態で光導電層に消去光（前露光光）を照射する空読みを行なうことを提案しており、これにより、消去光が照射された光入射界面（電子−ホールペア形成領域）に、光疲労状態（トラップ蓄積状態）が一時的に形成されるようになり、読取光を照射した際に生じ得る光起電力ノイズが光疲労状態によって低減すると共に安定化するようになる。また、消去光により電極と光導電層との界面の空間電荷状態を低減し安定化させる、つまり高圧印加履歴ノイズを低減させることもできる。
【００１１】
さらに、空読みに先立って、両電極間に所定の大きさおよび所定の極性の電圧を所定の時間だけ印加する空電圧印加を行なうことも提案しており、これにより、光導電層内部あるいは光導電層と電極との界面に、見かけ上安定化した高抵抗状態をもたらす空間電荷状態が形成されるようになり、しかも蓄電部には暗潜像蓄積の少ない状態が実現されるため、記録用電圧を印加した直後には、従来のような大レベルの暗潜像ノイズが生じる虞がなくなり、暗潜像ノイズが低減すると共に安定化するようになる。
【特許文献１】米国特許第４５３５４６８号明細書
【特許文献２】特開２０００−１０５２９７号公報
【特許文献３】特開２００１−１０８７９８号公報
【発明の開示】
【発明が解決しようとする課題】
【００１２】
しかしながら、上記特許文献３の方法を用いたとしても、空電圧印加や空読みを行った後に撮影を行い、しばらくの間静電記録体に対して電圧印加を休止すると、再度撮影を行う際に空電圧印加や空読みを行っても、光起電力ノイズ、暗潜像ノイズおよび高圧印加履歴ノイズを十分に低減させることができず、画像品質が劣化することが確認された。
【００１３】
また、この問題を解消するために、撮影の休止期間中に空電圧印加や空読みを断続的に行い、静電記録体のノイズ状態を安定に保つようにすることも考えられるが、この場合、静電記録体に対して電圧を印加する回数や、消去光を照射する回数が増加するため、静電記録体の耐久性が低下する可能性が懸念される。
【００１４】
本発明は上記問題に鑑みてなされたものであり、静電記録体に画像情報を静電潜像として記録し、記録された静電潜像を読み取る画像情報記録読取方法および装置において、光読取を行うことにより生じる光起電力ノイズの低減と安定化、電圧印加直後に形成される暗潜像ノイズの低減とその安定化、および記録用電圧の印加と短絡とを行うことにより生じる高圧印加履歴ノイズの低減と安定化を図ることが可能な方法および装置を提供することを目的とするものである。
【課題を解決するための手段】
【００１５】
本発明の画像情報記録読取方法は、第１電極層と画像情報を担持する記録用の電磁波の照射を受けることにより導電性を呈する光導電層と第２電極層とをこの順に有すると共に電磁波のエネルギ量に応じた量の電荷を潜像電荷として蓄積する蓄電部が前記第１電極層と前記第２電極層との間に形成されて成り、第１電極層の電極と第２電極層の電極との間に記録用電圧を印加した状態で光導電層に記録用の電磁波が照射されることにより蓄電部に画像情報が静電潜像として記録され、且つ第１電極層と第２電極層とを同電位にした状態で潜像電荷の量に応じた画像情報が読み取られる静電記録体を用いて画像情報の記録と読取りを行なう画像情報記録読取方法において、第１電極層の電極と第２電極層の電極との間に所定の大きさおよび所定の極性の電圧を所定の時間だけ印加する空電圧印加と、第１電極層の電極と第２電極層の電極とを同電位にした状態で光導電層に消去光を照射する空読みとを行う予備処理を、画像情報記録の１分前以内に行うことを特徴とするものである。
【００１６】
本発明に使用される静電記録体は、第１電極層、光導電層、および第２電極層をこの順に有すると共に、第１電極層と２電極層との間に蓄電部が形成されて成るものであって、上述のように光読出方式のものであれば良く、蓄電部を形成するために、例えば上記特許文献１や特許文献２などに記載のように、さらに他の層や微小導電部材（マイクロプレート）を積層して成るものであってもかまわない。
【００１７】
また、「画像情報を担持する記録用の電磁波」としては、例えば、被写体にＸ線などの放射線を照射して得られる透過放射線画像情報を担持する透過放射線、この透過放射線を一旦蛍光体（シンチレータ）に照射して得た透過放射線画像情報を担持する蛍光などの放射線の励起により発せられる光、あるいは画像情報を担持する一般的な可視光などを用いることができる。
【００１８】
また、「第１電極層の電極と第２電極層の電極とを同電位にした状態」とは、両電極層の電極を直接接続して同電位にした状態に限らず、例えばオペアンプのイマジナリーショートを介したり抵抗を介するなどのように、両電極間に多少の電位差を有し得るものの、両電極層の電極が実質的に同電位となるようにした状態も含む。
【００１９】
また、空読みのための消去光は、光疲労などを効果的に生じさせるために光強度が強いことが好ましい。一方、この消去光の照射は、長時間（例えば１０ｓｅｃ）である必要はなく、比較的短時間（例えば１ｍｓｅｃ〜１ｓｅｃ程度）で十分である。
【００２０】
また、空電圧印加は、この空電圧印加は、長時間（例えば１０ｓｅｃ）である必要はなく、比較的短時間（例えば１ｓｅｃ以内）で十分である。
【００２１】
上記において、光導電層に消去光を照射するに際しては、読取光が照射される電極層（通常は第２電極層）側から照射するのが望ましく、また、静電記録体の全面に亘って略一様の光量の光であるのが望ましい。
【００２２】
なお、読取光とは、読取用の電磁波であって、可視光に限らない。読取光の照射を受けることにより導電性を呈する光導電層は、記録用の電磁波の照射を受けることにより導電性を呈する光導電層と兼用のものでもよいし、これとは別の専用の光導電層でもよい。
【００２３】
さらに、予備処理は、画像情報記録の１０秒前以内に行うことが好ましい。
【００２４】
本発明の画像情報記録読取装置は、上記画像情報記録読取方法を実施する装置であり、第１電極層と画像情報を担持する記録用の電磁波の照射を受けることにより導電性を呈する光導電層と第２電極層とをこの順に有すると共に電磁波のエネルギ量に応じた量の電荷を潜像電荷として蓄積する蓄電部が第１電極層と第２電極層との間に形成されて成り、第１電極層の電極と第２電極層の電極との間に記録用電圧を印加した状態で光導電層に記録用の電磁波が照射されることにより蓄電部に画像情報が静電潜像として記録され、且つ第１電極層と第２電極層とを同電位にした状態で潜像電荷の量に応じた画像情報が読み取られる静電記録体を使用して画像情報の記録と読取りを行なう画像情報記録読取装置において、第１電極層の電極と第２電極層の電極との間に所定の電圧を印加する電圧印加手段と、光導電層に消去光を照射する消去光照射手段と、第１電極層の電極と第２電極層の電極との間に所定の大きさおよび所定の極性の電圧を所定の時間だけ印加する空電圧印加と、第１電極層の電極と第２電極層の電極とを同電位にした状態で光導電層に消去光を照射する空読みとを行う予備処理を、画像情報記録の１分前以内に行なわさせるように電圧印加手段と消去光照射手段とを制御する制御手段とを備えたことを特徴とするものである。
【００２５】
ここで、制御手段は、予備処理を画像情報記録の１０秒前以内に行わせるものであることが好ましい。
【００２６】
また、静電記録体に対して記録用の電磁波を照射する電磁波照射手段と、ユーザーからの電磁波照射手段に対する電磁波照射要求を受け付けるスイッチとを備えるとともに、制御手段を、スイッチが電磁波照射要求を受け付けてから所定時間以内に予備処理を行わせた後、記録用の電磁波を照射させるように電磁波照射手段を制御するものとしてもよい。
【発明の効果】
【００２７】
本発明の画像情報記録読取方法および装置によれば、第１電極層の電極と第２電極層の電極との間に所定の大きさおよび所定の極性の電圧を所定の時間だけ印加する空電圧印加と、第１電極層の電極と第２電極層の電極とを同電位にした状態で光導電層に消去光を照射する空読みとを行う予備処理を、画像情報記録の１分前以内に行うようにしたことにより、撮影時における静電記録体の光起電力ノイズ、暗潜像ノイズおよび高圧印加履歴ノイズを低減させることができるため、高品位な撮影を行うことが可能となる。
【００２８】
上記において、予備処理を、画像情報記録の１０秒前以内に行えば、光起電力ノイズ、暗潜像ノイズおよび高圧印加履歴ノイズの低減について、より顕著な効果を得ることができる。
【００２９】
さらに、画像情報記録読取装置においては、静電記録体に対して記録用の電磁波を照射する電磁波照射手段と、ユーザーからの電磁波照射手段に対する電磁波照射要求を受け付けるスイッチとを備えるとともに、制御手段を、スイッチが電磁波照射要求を受け付けてから所定時間以内に予備処理を行わせた後、記録用の電磁波を照射させるように電磁波照射手段を制御するものとし、電磁波照射要求スイッチの入力をトリガーとして予備処理を行うようにすることにより、撮影の直前に確実に予備処理を行うことが可能となる。
【発明を実施するための最良の形態】
【００３０】
以下、図面を参照して本発明の実施の形態について詳細に説明する。図１は本発明の画像情報記録読取方法および装置を適用した、放射線画像撮影読取装置の概略図である。
【００３１】
図１に示すように、この放射線画像撮影読取装置１は、静電記録体としての放射線固体検出器（以下単に検出器とも言う）１０と、検出器１０に積層された線状走査光源３０、検出器１０の略全面に消去光を照射する面状光源３５、線状走査光源３０および面状光源３５を制御する光源制御手段４０、検出器１０から出力された電荷を読み出す電流検出回路５０からなる読取部２０と、放射線照射部６０と、ユーザーからの撮影要求を受け付けるスイッチ７０と、電流検出回路５０、放射線照射部６０およびスイッチ７０に接続された制御手段８０を有している。
【００３２】
検出器１０は、画像情報を担持する電磁波としての被写体を透過した記録用の放射線（例えば、Ｘ線等；以下記録放射線という）が第１電極層（導電体層）１１に照射されることにより記録用光導電層１２内に電荷が発生し、この発生した電荷を記録用光導電層１２と電荷輸送層１３との界面である蓄電部１９に潜像電荷として蓄積し、読取光（読取用の電磁波）で第２電極層（導電体層）１５が走査されることにより読取用光導電層１４内に電荷が発生し前記潜像電荷と電荷再結合して潜像電荷の量に応じた電流を発生するものである。読取用電極層としての第２電極層１５は、多数の線状電極（図中の斜線部）がストライプ状に配列されて成るものである。以下第２電極層１５の電極をストライプ電極１６といい、各線状電極をエレメント１６ａという。
【００３３】
記録用光導電層１２、電荷輸送層１３、および読取用光導電層１４には、アモルファス状の物質としてのａ−Ｓｅを主成分とするものを使用する。
【００３４】
線状走査光源３０は、導電層３１、ＥＬ層３２、導電層３３から成るＥＬ発光体であり、上述のように検出器１０に積層されている。導電層３１、ＥＬ層３２および３３は後述の消去光に対して透過性を有する部材から構成されている。検出器１０のストライプ電極１６と導電層３１との間には絶縁層３４が設けられる。導電層３１は、多数のエレメント（図中の斜線部）３１ａがストライプ状に配列されて成るものであり、各エレメント３１ａは、検出器１０のストライプ電極１６の各エレメント１６ａと交差（本例では略直交）するように配列されており、これにより、エレメント３１ａによるライン状の光源が面状に多数配列するように構成される。各エレメント３１ａは光源制御手段４０に接続されている。
【００３５】
ＥＬ層３２としては、検出器１０の読取用光導電層１４の主成分であるａ−Ｓｅとのマッチングを考慮して、波長４７０ｎｍ程度のＥＬ光が発せられるような物資を用いる。
【００３６】
面状光源３５は、線状走査光源３０の検出器１０とは反対側から読取用光導電層１４の略全面に消去光を照射するものであり、例えば所望の色の光を発光する蛍光管と反射板とを組み合わせたもの等、どのようなものを用いてもよい。
【００３７】
光源制御手段４０は、線状走査光源３０に対しては、エレメント３１ａとそれに対向する導電層３３との間に所定の電圧を印加するものである。エレメント３１ａを順次切り替えながら、夫々のエレメント３１ａと導電層３３との間に所定の直流電圧を印加すると、エレメント３１ａと導電層３３とに挟まれたＥＬ層３２からＥＬ光が発せられ、エレメント３１ａを透過したＥＬ光はライン状の読取光（以下ライン光という）として利用される。すなわち、線状走査光源３０としては、ライン状の微小光源を面状に多数配列したものと等価となり、ストライプ電極１６の長手方向の一方の端から他方の端までの全部についてエレメント３１ａを順次切り替えてＥＬ発光させることにより、ライン光でストライプ電極１６の全面を電気的に走査することになる。なお、エレメント１６ａの長手方向が副走査方向に対応し、ライン光の延びる方向が主走査方向に対応する。
【００３８】
また、面状光源３５に対しては、消去光の発光のＯＮ／ＯＦＦを制御するものである。なお、面状光源３５が複数の色（例えば白光と緑光等）を発光可能な場合には、発光色の制御も行う。
【００３９】
光源制御手段４０には、制御信号Ｃ１が入力されるようになっており、制御信号Ｃ１がＬ（ロー）のときには消去光を照射する消去光モード、Ｈ（ハイ）のときには読取光を照射する読取光モードとなる。制御信号Ｃ１がハイインピーダンス状態のときにはいずれの光源からも光が発せられない。
【００４０】
電流検出回路５０は、ストライプ電極１６の各エレメント１６ａ毎に、反転入力端子に接続された電流検出アンプ５１を多数有している。検出器１０の第１電極層１１はスイッチ５２の一方の入力および電源５３の負極に接続されており、電源５３の正極はスイッチ５２の他方の入力に接続されている。スイッチ５２および電源５３とにより、本発明による電圧印加手段が構成される。
【００４１】
スイッチ５２の出力は各電流検出アンプ５１を構成する不図示のオペアンプの非反転入力端子に共通に接続されている。線状走査光源３０から読取光としてのライン光がストライプ電極１６側に照射（走査露光）されることにより、各電流検出アンプ５１は、各エレメント１６ａに流れる電流を、接続された各エレメント１６ａについて同時（並列的）に検出する。
【００４２】
なお、電流検出アンプ５１の構成の詳細については、本発明の要旨に関係がないのでここでは詳細な説明を省略するが、周知の構成を種々適用することが可能である。電流検出アンプ５１の構成によっては、スイッチ５２および電源５３並びに各エレメント１６ａとの接続態様が上記とは異なるものとなるのは勿論である。
【００４３】
放射線照射部６０は、放射線Ｒを発する放射線源６１、放射線源６１を駆動する電力を発生する高電圧発生器６２、高電圧発生器６２と接続された撮影をコントロールするスイッチ６３とからなる。スイッチ６３は、スイッチ６３ａ，６３ｂから成る２段スイッチとなっており、スイッチ６３ａがオンしなければスイッチ６３ｂはオンしないように構成されている。
【００４４】
なお、本発明による作用が、所定のタイミングで自動的に行なわれるようにするために、制御手段８０には、スイッチ６３ａ，６３ｂからの信号Ｓ１，Ｓ２と、高電圧発生器６２からのスタンバイ信号Ｓ４、記録放射線の照射終了を示す照射終了信号Ｓ５および設定された記録放射線の照射時間を示す信号Ｓ６と、光源制御手段４０からの消去光の照射が終了したことを示す照射終了信号Ｓ７が夫々入力され、また制御手段８０からは、光源制御手段４０に向けて制御信号Ｃ１が、スイッチ５２に向けて制御信号Ｃ２が、高電圧発生器６２に向けて制御信号Ｃ３が夫々出力されるようにする。
【００４５】
制御信号Ｃ２がＨのときにはスイッチ５２が電源５３側に切り換えられ、検出器１０（詳しくは第１電極層１１の電極とストライプ電極１６との間）に電源５３から直流電圧が印加される。一方制御信号Ｃ２がＬのときには、スイッチ５２は第１電極層１１側に切り換えられ、電流検出アンプ５１を構成する不図示のオペアンプのイマジナリーショートを介して第１電極層１１の電極とストライプ電極１６とが実質的にショートされ、両電極が同電位にされる。また制御信号Ｃ２がハイインピーダンス状態のときにはスイッチ５２は中点に設定され、電源５３の正極はフローティング状態となり、検出器１０への電圧印加が行なわれないし両電極が同電位にされることもない。高電圧発生器６２は、制御信号Ｃ３としてＨが入力されたときには高圧ＨＶを放射線源６１に供給し、放射線源６１から放射線Ｒを発生させる。
【００４６】
以下、上記構成の放射線画像撮影読取装置１の作用について説明する。図２は装置１の画像情報記録読取時のシーケンスを示すタイミングチャートである。なお、図２に示すタイミングチャートにおいて、ハイレベル期間が、検出器に電圧が印加されたり光（消去光、記録放射線、読取光）が照射されるアクティブな期間であり、ローレベル期間（基準レベル期間）がその反対のインアクティブな期間である。
【００４７】
スイッチ７０によりユーザーからの撮影要求（撮影要求１段目）が受け付けられると、制御手段８０は、第１電極層１１の電極とストライプ電極１６との間に所定の大きさおよび所定の極性の電圧（以下空電圧という）を所定の時間だけ印加する空電圧印加を行なわせるようにする。具体的には、スイッチ５２を電源５３側に切り換えて第１電極層１１の電極とストライプ電極１６との間に電源５３から空電圧を所定の時間だけ印加させる。
【００４８】
なお、図１においては、この空電圧として記録用の電圧と同じ大きさおよび極性の電圧を印加するものとして示しているが、電源５３を、電圧値を変更可能なものとすると共に、その極性を反転させることができるようなものとすることにより、電圧値および極性を記録用の電圧と異なるものとすることができる。
【００４９】
次に、制御手段８０はスイッチ５２に入力される制御信号Ｃ２をＬとする。これによりスイッチ５２が第１電極層１１側に切り換えられ、第１電極層１１の電極とストライプ電極１６とが実質的にショートされ、両電極が同電位にされる。次に、光源制御手段４０に入力される制御信号Ｃ１をＬ（消去光モード）にして、面状光源３５に消去光（緑光）を発光させて、読取用光導電層１４に消去光を照射する空読みを行なわせる。
【００５０】
次に、この空読みを停止するべく、光源制御手段４０に入力される制御信号Ｃ１をハイインピーダンス状態として、面状光源３５の発光を停止させる。
【００５１】
なお、スイッチ７０により撮影要求（撮影要求１段目）が受け付けられてから放射線源６１等の各手段が撮影に必要な準備動作を始めるため、実際に画像情報の記録が始まるタイミング（撮影要求２段目）までには時間がある。上記の空電圧印加および空読みからなる予備処理は、撮影要求１段目から撮影要求２段目までの間に行い、その後即座に画像情報の記録を行う。なお、本実施の形態では、撮影要求１段目から撮影要求２段目までの時間は２秒であり、予備処理はこの間で行われる。
【００５２】
画像情報の記録は、第１電極層１１の電極とストライプ電極１６との間に記録用電圧を印加した状態で第１電極層１１に記録用の放射線Ｑを照射して、検出器１０に静電潜像の記録を行なう。具体的には、先ず検出器１０内の記録用光導電層１２で発生した電荷を蓄電部１９に蓄積させることができるように、スイッチ５２を電源５３側に切り換えて第１電極層１１の電極とストライプ電極１６との間に電源５３から記録用電圧としての所定の大きさの直流電圧を印加して、両者を帯電させる。
【００５３】
この記録用電圧の印加の後、高電圧発生器６２から高圧ＨＶを放射線源６１に供給させ、放射線源６１から放射線Ｒを照射させる。この放射線Ｒを被写体６５に爆射し、被写体６５を透過した被写体６５の放射線画像情報を担持する記録放射線Ｑを設定された照射時間だけ検出器１０に照射する。すると、検出器１０の記録用光導電層１２内で正負の電荷対が発生し、その内の負電荷が所定の電界分布に沿ってストライプ電極１６の各エレメント１６ａに集中せしめられ、記録用光導電層１２と電荷輸送層１３との界面である蓄電部１９に潜像電荷として蓄積される。潜像電荷の量は照射放射線量に略比例するので、この潜像電荷が静電潜像を担持することとなる。一方、記録用光導電層１２内で発生する正電荷は第１電極層１１に引き寄せられて、電源５３から注入された負電荷と電荷再結合し消滅する。
【００５４】
次に、検出器１０から静電潜像を読み取る際には、先ず制御信号Ｃ１をＨ（読取光モード）にし、スイッチ５２を検出器１０の第１電極層１１側に接続して、光源制御手段４０により、エレメント３１ａを順次切り替えながら、夫々のエレメント３１ａと導電層３３との間に所定の直流電圧を印加して、ＥＬ層３２から発せられるライン光で検出器１０の全面を電気的に走査する。
【００５５】
このライン光による走査により副走査位置に対応するライン光が入射した光導電層１４内に正負の電荷対が発生し、その内の正電荷が蓄電部１６に蓄積された負電荷（潜像電荷）に引きつけられるように電荷輸送層１３内を急速に移動し、蓄電部１６で潜像電荷と電荷再結合し消滅する。一方、光導電層１４に生じた負電荷は電源５３からストライプ電極１６に注入される正電荷と電荷再結合し消滅する。このようにして、検出器１０の蓄電部１９に蓄積されていた負電荷が電荷再結合により消滅し、この電荷再結合の際の電荷の移動による電流が検出器１０内に生じる。この電流を各エレメント１６ａ毎に接続された各電流検出アンプ５１が同時に検出する。読取りの際に検出器１０内を流れる電流は、潜像電荷すなわち静電潜像に応じたものであるから、この電流を検出することにより静電潜像を読み取る、すなわち静電潜像を表す画像信号を取得することができる。
【００５６】
次に、制御手段８０はスイッチ５２に入力される制御信号Ｃ２をＬとする。これによりスイッチ５２が第１電極層１１側に切り換えられ、第１電極層１１の電極とストライプ電極１６とが実質的にショートされ、両電極が同電位にされる。次に、光源制御手段４０に入力される制御信号Ｃ１をＬ（消去光モード）にして、面状光源３５に消去光（緑光）を発光させて、読取用光導電層１４に消去光を照射する空読みを行なわせる。
【００５７】
次に、この空読みを停止するべく、光源制御手段４０に入力される制御信号Ｃ１をハイインピーダンス状態として、線状走査光源３０からのＥＬ光の発光を停止させる。
【００５８】
その後、光起電力ノイズ、暗潜像ノイズおよび高圧印加履歴ノイズの低減を図るために、上記の記録用電圧印加、線状走査光源３０による読取光照射、面状光源３５による複数回の消去光照射を行い、記録時の動作が終了する。
【００５９】
上記のように、予備処理を、画像情報記録の直前に行うようにしたことにより、撮影時における静電記録体の光起電力ノイズ、暗潜像ノイズおよび高圧印加履歴ノイズを低減させることができるため、高品位な撮影を行うことが可能となる。
【００６０】
なお、予備処理時に照射する消去光については、上述のように緑光を１回照射する態様に限らず、複数回の消去光を照射する態様や、異なる色の消去光を組み合わせて照射する態様とする等、種々の態様が可能である。例えば図３のシーケンス図に示す通り、白光と緑光を組み合わせて照射する態様としてもよい。
【００６１】
次に、本発明の第２の実施の形態の放射線画像撮影読取装置について説明する。本実施の形態は上記第１の実施の形態と比べ、画像情報記録読取時のシーケンスを変更したものである。図４は本実施の形態の放射線画像撮影読取装置の画像情報記録読取時のシーケンスを示すタイミングチャートである。なお、本実施の形態の放射線画像撮影読取装置の構成は、上記第一の実施の形態の放射線画像撮影読取装置と略同等であるため、差異部分以外についての説明は省略する。
【００６２】
本実施の形態の放射線画像撮影読取装置の面状光源３５は、白光および緑光の２色の光を発光可能に構成されており、制御手段８０により発光動作および発光色が制御される。
【００６３】
これに伴い、制御手段８０から光源制御手段４０に入力される制御信号Ｃ１において、消去光モード（Ｌ）は白光照射（ＬＷ）および緑光照射（ＬＧ）の２種類の信号が適宜出力される。
【００６４】
本実施の形態の放射線画像撮影読取装置の画像情報記録読取時のシーケンスでは、スイッチ７０によりユーザーからの撮影要求（撮影要求１段目）が受け付けられると、制御手段８０はスイッチ５２に入力される制御信号Ｃ２をＬとする。これによりスイッチ５２が第１電極層１１側に切り換えられ、第１電極層１１の電極とストライプ電極１６とが実質的にショートされ、両電極が同電位にされる。次に、光源制御手段４０に入力される制御信号Ｃ１をＬＷ（消去光モード）にして、面状光源３５に消去光（白光）を発光させて、読取用光導電層１４に消去光を照射する空読みを行なわせる。
【００６５】
次に、この空読みを停止するべく、光源制御手段４０に入力される制御信号Ｃ１をハイインピーダンス状態として、面状光源３５の発光を停止させる。
【００６６】
次に制御手段８０は、第１電極層１１の電極とストライプ電極１６との間に所定の大きさおよび所定の極性の電圧（以下空電圧という）を所定の時間だけ印加する空電圧印加を行なわせるようにする。具体的には、スイッチ５２を電源５３側に切り換えて第１電極層１１の電極とストライプ電極１６との間に電源５３から空電圧を所定の時間だけ印加させる。
【００６７】
次に制御手段８０は、第１電極層１１の電極とストライプ電極１６との間に上記空電圧印加時よりも低い電圧の印加を行なわせ、それと同時に読取用光導電層１４に対して上記の消去光（白光）を照射する空読みを行なわせた後、この空読みを停止するべく、光源制御手段４０に入力される制御信号Ｃ１をハイインピーダンス状態として、面状光源３５の発光を停止させる。
【００６８】
次に、制御手段８０はスイッチ５２に入力される制御信号Ｃ２をＬとする。これによりスイッチ５２が第１電極層１１側に切り換えられ、第１電極層１１の電極とストライプ電極１６とが実質的にショートされ、両電極が同電位にされる。次に、光源制御手段４０に入力される制御信号Ｃ１をＬＧ（消去光モード）にして、面状光源３５に消去光（緑光）を発光させて、読取用光導電層１４に消去光を照射する空読みを行なわせた後、光源制御手段４０に入力される制御信号Ｃ１をハイインピーダンス状態として、面状光源３５の発光を停止させる。
【００６９】
上記の予備処理を２秒以内に行い、その後即座に画像情報の記録を行い、続いて画像情報の読取りを行う。
【００７０】
なお、画像情報の記録および読取動作に関しては上記第１の実施の形態と同様の動作であるため、説明を省略する。
【００７１】
画像情報の読取りを行った後、制御手段８０は第１電極層１１の電極とストライプ電極１６との間に上記空電圧印加時よりも低い電圧の印加を行なわせ、それと同時に読取用光導電層１４に対して上記の消去光（白光）を照射する空読みを行なわせた後、この空読みを停止するべく、光源制御手段４０に入力される制御信号Ｃ１をハイインピーダンス状態として、面状光源３５の発光を停止させる。
【００７２】
次に、制御手段８０はスイッチ５２に入力される制御信号Ｃ２をＬとする。これによりスイッチ５２が第１電極層１１側に切り換えられ、第１電極層１１の電極とストライプ電極１６とが実質的にショートされ、両電極が同電位にされる。次に、光源制御手段４０に入力される制御信号Ｃ１をＬＧ（消去光モード）にして、面状光源３５に消去光（緑光）を発光させて、読取用光導電層１４に消去光を照射する空読みを行なわせた後、光源制御手段４０に入力される制御信号Ｃ１をハイインピーダンス状態として、面状光源３５の発光を停止させる。
【００７３】
その後、光起電力ノイズ、暗潜像ノイズおよび高圧印加履歴ノイズの低減を図るために、上記の記録用電圧印加、線状走査光源３０による読取光照射、面状光源３５による複数回の消去光照射を行い、記録時の動作が終了する。
【００７４】
上記のように、予備処理時および画像情報読取後において空電圧印加時よりも低い電圧の印加と白色消去光の照射とを同時に行うシーケンスを加えることにより、第１の実施の形態に比べより多くの残存電荷を消去可能であるため、より高品位な撮影を行うことが可能となる。
【００７５】
次に、本発明の第３の実施の形態の放射線画像撮影読取装置について説明する。本実施の形態は上記第１の実施の形態と比べ、画像情報記録読取時のシーケンスを変更したものである。さらに具体的には、上記第１の実施の形態においてはスイッチ７０による撮影要求に基づいて予備処理を行っていたが、本実施の形態においては外部機器からの撮影情報の入力に基づいて予備処理を行うようにしている。図５は本実施の形態の放射線画像撮影読取装置の画像情報記録読取時のシーケンスを示すタイミングチャートである。なお、本実施の形態の放射線画像撮影読取装置の構成は、上記第一の実施の形態の放射線画像撮影読取装置と略同等であるため、差異部分以外についての説明は省略する。
【００７６】
通常、放射線画像撮影読取装置に対しては、放射線撮影を受ける患者の情報を管理したコンピューター等の外部機器から、撮影を行う直前に放射線画像撮影読取装置に対して撮影情報が入力される。
【００７７】
これに伴い、本実施の形態の放射線画像撮影読取装置の画像情報記録読取時のシーケンスでは、外部機器から撮影情報が入力されると、制御手段８０はスイッチ５２に入力される制御信号Ｃ２をＬとする。これによりスイッチ５２が第１電極層１１側に切り換えられ、第１電極層１１の電極とストライプ電極１６とが実質的にショートされ、両電極が同電位にされる。次に、光源制御手段４０に入力される制御信号Ｃ１をＬＷ（消去光モード）にして、面状光源３５に消去光（白光）を発光させて、読取用光導電層１４に消去光を照射する空読みを行なわせる。
【００７８】
次に、この空読みを停止するべく、光源制御手段４０に入力される制御信号Ｃ１をハイインピーダンス状態として、面状光源３５の発光を停止させる。
【００７９】
次に制御手段８０は、第１電極層１１の電極とストライプ電極１６との間に所定の大きさおよび所定の極性の電圧（以下空電圧という）を所定の時間だけ印加する空電圧印加を行なわせるようにする。具体的には、スイッチ５２を電源５３側に切り換えて第１電極層１１の電極とストライプ電極１６との間に電源５３から空電圧を所定の時間だけ印加させる。
【００８０】
次に制御手段８０は、スイッチ５２に入力される制御信号Ｃ２をＬとする。これによりスイッチ５２が第１電極層１１側に切り換えられ、第１電極層１１の電極とストライプ電極１６とが実質的にショートされ、両電極が同電位にされる。
【００８１】
次に、光源制御手段４０に入力される制御信号Ｃ１をＬＧ、ＬＷと順に変化させ、読取用光導電層１４に緑色消去光、白色消去光を順に照射する空読みを行なわせた後、光源制御手段４０に入力される制御信号Ｃ１をハイインピーダンス状態として、面状光源３５の発光を停止させる。
【００８２】
上記の予備処理を５秒以内に行った後一旦停止し、スイッチ７０によりユーザーからの撮影要求が受け付けられた後、画像情報の記録以降の処理を行う。なお、画像情報の記録以降の動作に関しては上記第１の実施の形態と同様の動作であるため説明を省略する。
【００８３】
このような態様としても、上記第１の実施の形態と同様の効果を得ることが可能である。
【００８４】
以上、本発明の画像情報記録読取方法および装置を適用した放射線画像撮影読取装置について説明したが、本発明は上記実施の形態に限定されるものではなく、静電記録体（放射線固体検出器）の構成や消去光照射手段の構成などの各種手段の構成、さらには記録時や休止期間中のシーケンスなども適宜変更することができる。
【００８５】
例えば静電記録体については、第１電極層、光導電層、および第２電極層をこの順に有すると共に、第１電極層と２電極層との間に蓄電部が形成されて成る光読出方式のものであれば良く、蓄電部を形成するために、さらに他の層や微小導電部材（マイクロプレート）を積層して成るものであってもかまわない。
【００８６】
また、読取光照射手段および消去光照射手段についても、上述した線状走査光源３０、面状光源３５および光源制御手段４０からなる構成のみに限定されず、読取光照射手段については、ビーム光やライン光の照射位置を静電記録体に対して相対移動させるものであればよく、例えば消去光照射手段と一体のものであってもよいし、また電気的な走査に限らず、光源と静電記録体とを機械的に相対移動させる構成のものであってもよい。
【図面の簡単な説明】
【００８７】
【図１】本発明の画像情報記録読取方法および装置を適用した、放射線画像撮影読取装置の概略図
【図２】第１の実施の形態の放射線画像撮影読取装置の画像情報記録読取時のシーケンスを示すタイミングチャート
【図３】第１の実施の形態の放射線画像撮影読取装置の画像情報記録読取時のシーケンスの異なる態様を示すタイミングチャート
【図４】第２の実施の形態の放射線画像撮影読取装置の画像情報記録読取時のシーケンスを示すタイミングチャート
【図５】第３の実施の形態の放射線画像撮影読取装置の画像情報記録読取時のシーケンスを示すタイミングチャート
【符号の説明】
【００８８】
１    放射線画像撮影読取装置
１０  静電記録体（放射線固体検出器）
２０  読取部
３０  線状走査光源
３５  面状光源
４０  光源制御手段
５０  電流検出回路
６０  放射線照射部
７０  スイッチ
８０  制御手段
【図１】
2008139075.tif 000003
【図２】
2008139075.tif 000004
【図３】
2008139075.tif 000005
【図４】
2008139075.tif 000006
【図５】
2008139075.tif 000007